(57)【要約】【課題】プリーツフィルタ部材の面積増大が可能で、フィルタ性能の向上とフィルタ清掃までの寿命の延長が図れ、また、省スペース化が図れるエアフィルタを提供する。【解決手段】本エアフィルタは波形状に形成するプリーツフィルタ部材１１と、このプリーツフィルタ部材１１が一体に取付けられた枠部材１３とが構成し、枠部材１３の下枠部に、取手が設けられたエアフィルタにおいて、プリーツフィルタ部材１１は、枠部材１３の下枠部１３ａ上部位置まで波形状に折られた状態で構成するとともに、下枠部１３ａの取手部１５は、前面側から見て、プリーツフィルタ部材の下端部の波形状に合せた取手部１５の形成位置が山部でその上下が谷部になる山形を形成し、上記下枠部１３ａの山部に位置して下枠部の前面から前方に突出して設けられた取手突条１５ａと、この取手突条１５ａ下側の谷部のスペース内に後方へ窪ませた取手凹部１５ｂを備えた。【選択図】  図３
2005177575.tif 000002
【特許請求の範囲】
【請求項１】
波形状に形成するプリーツフィルタ部材と、このプリーツフィルタ部材が一体に取付けられた枠部材とが構成し、枠部材の下枠部に、取手が設けられたエアフィルタにおいて、プリーツフィルタ部材は、枠部材の下枠部上部位置まで波形状に折られた状態で構成するとともに、下枠部の取手部は、前面側から見て、プリーツフィルタ部材の下端部の波形状に合せた取手部の形成位置が山部でその上下が谷部になる山形を形成し、上記下枠部の山部に位置して下枠部の前面から前方に突出して設けられた取手突条と、この取手突条下側の谷部のスペース内に後方へ窪ませた取手凹部を備えたことを特徴とするエアフィルタ。
【発明の詳細な説明】
【技術分野】
【０００１】
本発明はエアフィルタに係わり、特に空気調和機や空気清浄機など空気清浄機器に用いられ取手構造を改良したエアフィルタに関する。
【背景技術】
【０００２】
従来、空気調和機のエアフィルタにプリーツ織りを採用するものにあっては、フィルタで取手の両端を開口させ、プリーツフィルタ部材の端部をプリーツ状から平らな状態に戻すか、あるいは取手に対応するプリーツフィルタ部材を切取るなど、製造上の追加加工が必要であった（特許文献１）。このため、特許文献１に記載のフィルタは、図８に示すように、エアフィルタ２１の取手２２以外の不要な領域２３ａも枠部材２３として形成せざるを得ず、取手２２の以外の領域２３ａを開口させることは困難であり、プリーツフィルタ部材２４の面積を増やすことは難しく、また、図９に示すように、取手２２が枠部材２３の前面から前方にＬ１突出して設けられており、エアフィルタ２１に位置する前面パネル２５との間隔をより大きくあける必要があるため、エアフィルタのスペース効率が悪かった。
【特許文献１】特開２００３−７４９６５号公報（段落［００３２］、［００３３］、［００４４］、図３）
【発明の開示】
【発明が解決しようとする課題】
【０００３】
本発明は上述した事情を考慮してなされたもので、プリーツフィルタ部材の面積増大が可能で、フィルタ性能の向上とフィルタ清掃までの時間の延長が図れ、また、省スペース化が図れるエアフィルタを提供することを目的とする。
【課題を解決するための手段】
【０００４】
上記目的を達成するため、本発明の１つの態様によれば、波形状に形成するプリーツフィルタ部材と、このプリーツフィルタ部材が一体に取付けられた枠部材とが構成し、枠部材の下枠部に、取手が設けられたエアフィルタにおいて、プリーツフィルタ部材は、枠部材の下枠部上部位置まで波形状に折られた状態で構成するとともに、下枠部の取手部は、前面側から見て、プリーツフィルタ部材の下端部の波形状に合せた取手部の形成位置が山部でその上下が谷部になる山形を形成し、上記下枠部の山部に位置して下枠部の前面から前方に突出して設けられた取手突条と、この取手突条下側の谷部のスペース内に後方へ窪ませた取手凹部を備えたことを特徴とするエアフィルタが提供される。
【発明の効果】
【０００５】
本発明に係わるエアフィルタによれば、プリーツフィルタ部材の面積増大が可能で、フィルタ性能の向上とフィルタ清掃までの時間の延長が図れ、また、省スペースが図れるエアフィルタを提供することができる。
【発明を実施するための最良の形態】
【０００６】
以下、本発明に係るエアフィルタの一実施形態について添付図面を参照して説明する。
【０００７】
図１は本発明に係るエアフィルタが用いられた空気調和機の縦断面図、図２はその斜視図である。
【０００８】
図１及び図２に示すように、本発明に係るエアフィルタ１が用いられる空気清浄機器例えば空気調和機の室内機２は、本体３の上面に上部吸込口４が設けられ、前面に前部吸込口５が設けられている。
【０００９】
前部吸込口５は、前面パネル６の一部によって開閉されるようになっている。前部吸込口５の下部に沿って吹出口７が設けられており、この吹出口７は、それぞれ別個に回動制御される２枚の吹出ルーバ８によって開閉されるようになっている。
【００１０】
本体３内には、前側熱交換器部９ａと後側熱交換器部９ｂとで略逆Ｖ字状に形成される熱交換器９が配置されており、前側熱交換器部９ａは、前面パネル６と間隙を存してほぼ平行な湾曲形状に形成され、かつ後側熱交換器部９ｂは、直状であるが上部吸込口４と斜めに傾斜して対向する。なお、図１中符号１６は送風機である。
【００１１】
また、熱交換器９の前側熱交換器部９ａの前面側には、電気集塵機１０が取付けられ、空気中の塵埃を除去するようになっている。
【００１２】
さらに、前部吸込口５と電気集塵機１０間には、本発明に係るエアフィルタ１が設けられており、このエアフィルタ１は本体３の内面に沿い、前部吸込口５から上部吸込口４に達するようにほぼ円弧状に設けられている。
【００１３】
図３に示すように、本発明に係るエアフィルタ１は、１枚のプリーツフィルタ部材１１と、このプリーツフィルタ部材１１の側端部および中間部に沿って一体に設けられる桟部材１２と、この桟部材１２の一部と一体に設けられ周囲側端部をなす枠部材１３とから構成されている。
【００１４】
また、プリーツフィルタ部材１１は、実際に空気を流通させ、かつ空気に含まれる塵埃を捕捉する網目状素材からなり、図示の上下方向に沿って空気の流通する方向から見て山部と谷部が交互に連続する波形状（側面から見てジグザグ状）に折り返され、多数の折り目を有している。
【００１５】
さらに、プリーツフィルタ部材１１の側端部で、かつ折り目に沿って設けられる桟部材１２は、合成樹脂材からなる。すなわち、桟部材１２を成形する金型内に、折り目を備えたプリーツフィルタ部材１１の側端縁を挿入固定し、樹脂材をインジェクションすることにより、プリーツフィルタ部材１１と桟部材１２との一体成形がなされる。プリーツフィルタ部材１１と上下方向に形成する桟部材１２の一方の端縁から他方の端縁までの全長のうち、下側の約２／３程度は山部の折り目高さが高くて頂点部間隔が狭い形状をなし、残りの上側約１／３程度は山部の折り目高さが低くて頂点部間隔が広い形状をなす。
【００１６】
これら折り目高さの異なる境目の位置などの適数箇所には横方向に補強用桟部材１４が設けられている。
【００１７】
枠部材１３は、桟部材１２と同じ合成樹脂材からなり、桟部材１２を成型する金型により桟部材１２と一体に成形される。そしてこの枠部材１３は、プリーツフィルタ部材１１周囲を囲うように桟部材１２における波形状に折られた折り目の一方側の頂部に亘って設けられている。前記プリーツフィルタ部材１１は、枠部材１３の下枠部１３ａ上部位置まで波形状に折られた状態で構成している。
【００１８】
図４に示すように、枠部材１３の下枠部１３ａの中央部には周辺より上下方向幅広に形成されている取手部１５が設けられている。図５乃至図７に示すように、取手部１５が形成する下枠部１３ａは、前面側から見て、プリーツフィルタ部材１１の下端部の波形状に合せた取手部１５の形成位置が山部でその上下が谷部になる山形を形成している。上記下枠部１３ａの山部に位置する取手部１５は、下枠部１３ａの前面から前方にＬ寸法だけ突出して設けられた取手突条１５ａと、この取手突条１５ａ下側にプリーツフィルタ部材１１の波形状の谷部を利用して形成されるスペースｓ内に後方へ窪ませた取手凹部１５ｂからなっている。取手部１５が取手突条１５ａを山部に位置させるとともに、その下部の取手凹部１５ｂを谷部に形成させたので、把手１５の実質的な突出寸法は、寸法Ｌに山形の頂部から谷部までの寸法を加えた奥行を得ることが出来、取手突条１５ａの突出Ｌを図９に示す従来の取手２２の突出Ｌ１に比べて小さくできる。
【００１９】
なお、下枠部１３ａの取手部１５の左右には、空気調和機の室内機２の本体３内にエアフィルタを装着する際、下端部を本体内に係止するための係止部１６、１６を下端部に形成させている。この下枠部１３ａの係止部１６、１６は、補強のため、周辺より上下方向幅広に形成されている。
【００２０】
上記のように本実施形態のエアフィルタは、図５及び図６に示すように、取手部１５をフィルタ部材１１の山形の頂部と谷部を利用して形成するので、プリーツフィルタ部材１１の下部に平面フィルタ部を追加加工をすることなく、取手部１５周囲の領域１１ａをプリーツ織りのまま開口できるため、プリーツフィルタ部材１１の面積増大によって性能向上とフィルタ清掃までの使用時間の延長が図れる。また、取手凹部１５ｂを上記スペースｓ内に窪ませて形成するので、取手突条１５ａの高さを低くすることができ、省スペース化が図れる。
【図面の簡単な説明】
【００２１】
【図１】本発明に係るエアフィルタが用いられた空気調和機の縦断面図。
【図２】本発明に係るエアフィルタが用いられた空気調和機の斜視図。
【図３】本発明に係るエアフィルタの斜視図。
【図４】本発明に係るエアフィルタの取手部分の平面図。
【図５】本発明に係るエアフィルタの取手部分を拡大して示す平面図。
【図６】図５のＡ−Ａ線に沿う断面図。
【図７】図５のＢ−Ｂ線に沿う断面図。
【図８】従来のエアフィルタの取手部分を拡大して示す平面図。
【図９】図８のＣ−Ｃ線に沿う断面図。
【符号の説明】
【００２２】
１…エアフィルタ、２…空気調和機の室内機、３…本体、６…前面パネル、９…熱交換器、１１…プリーツフィルタ部材、１３…枠部材、１３ａ…下枠部、１５…取手、１５ａ…取手突条、１５ｂ…取手凹部。
【図１】
2005177575.tif 000003
【図２】
2005177575.tif 000004
【図３】
2005177575.tif 000005
【図４】
2005177575.tif 000006
【図５】
2005177575.tif 000007
【図６】
2005177575.tif 000008
【図７】
2005177575.tif 000009
【図８】
2005177575.tif 000010
【図９】
2005177575.tif 000011